(57)【要約】【課題】１本の棒状端子と複数の電線各々との間にヒューズを接続することが必要である場合に、ヒューズの固定に要する工数を低減でき、部品の種類を少なくしつつ電線の数の違いに適応でき、さらに、ヒューズの設置面積を小さくできること。【解決手段】ヒューズセット１は、複数種類のヒューズ１Ａ，１Ｂからなり、ヒューズ１Ａ，１Ｂ各々における溶断部３０及びこれに連なる二次側端子部２０は、ヒューズ１，１Ｂ各々の一次側端子部１０が重ねられた状態において、一次側端子部１０各々における同じ方向の外縁１１１の異なる位置から、それぞれ重ならずに張り出して形成されている。ヒューズ１Ａ，１Ｂ各々の一次側端子部１０は、棒状端子が貫通する貫通孔１１ｈの位置を一致させて重ねられたときに面接触する。一次側端子部１０の傾斜壁部１２は、上下に隣接する２つの一次側端子部１０どうしが貫通孔１１ｈを中心に相対的に回転することを制限する。【選択図】図１
2013084493.tif 000002
【特許請求の範囲】
【請求項１】
起立した棒状端子が通される貫通孔が形成され、前記棒状端子に固定される板状の導体である第一端子部と、
電線と接続される導体である第二端子部と、
前記第一端子部の外縁の一部から張り出した導体であり、両端が前記第一端子部及び第二端子部の各々に繋がった溶断部と、をそれぞれ有する複数種類のヒューズからなるヒューズセットであって、
前記複数種類のヒューズ各々の前記第一端子部は、
前記貫通孔が形成された板状の基部と、
前記基部の外縁から下方へ張り出して形成され、前記複数種類のヒューズ各々における前記第一端子部が前記貫通孔の位置を一致させて重ねられたときに、上下に隣接する２つの前記第一端子部どうしが前記貫通孔を中心に相対的に回転することを制限する回転規制部と、を有し、
さらに、前記複数種類のヒューズ各々の前記第一端子部は、前記貫通孔の位置を一致させて重ねられたときに、上下に隣接する２つの前記第一端子部どうしが面接触する形状で形成され、
前記複数種類のヒューズ各々における前記溶断部及びこれに連なる前記第二端子部は、前記複数種類のヒューズ各々の前記第一端子部が前記貫通孔の位置を一致させて重ねられた状態において前記第一端子部各々における外縁の異なる位置から、それぞれ重ならずに張り出して形成されていることを特徴とするヒューズセット。
【請求項２】
前記基部は、周囲の方向のうち前記溶断部が張り出した方向以外の方向において複数の直線状の外縁が形成された平板状の部分であり、
前記回転規制部は、前記基部における前記複数の直線状の外縁各々に連なり、前記複数の直線状の外縁各々から斜め下方外側へ張り出した平板状の複数の傾斜壁部であり、
さらに、前記複数種類のヒューズ各々の前記第一端子部は、それぞれ同一の形状で形成されているとともに、重ねられたときに上下に隣接する２つの前記第一端子部における少なくとも複数の前記傾斜壁部どうしが面接触する形状で形成されている、請求項１に記載のヒューズセット。
【請求項３】
複数の電線と、前記複数の電線各々と接続された複数種類のヒューズと、前記複数種類のヒューズ各々における前記複数の電線各々との接続部分を覆う絶縁体からなる複数の絶縁カバーと、を備えるワイヤハーネスであって、
前記複数種類のヒューズ各々は、
起立した棒状端子が貫通する貫通孔が形成され、前記棒状端子に固定される板状の導体である第一端子部と、
前記複数の電線のいずれかの端部と接続された導体である第二端子部と、
前記第一端子部の外縁の一部から張り出した導体であり、両端が前記第一端子部及び第二端子部の各々に繋がった溶断部と、を有し、
前記複数種類のヒューズ各々の前記第一端子部は、
前記貫通孔が形成された板状の基部と、
前記基部の外縁から下方へ張り出して形成され、前記複数種類のヒューズ各々における前記第一端子部が前記貫通孔の位置を一致させて重ねられたときに、上下に隣接する２つの前記第一端子部どうしが前記貫通孔を中心に相対的に回転することを制限する回転規制部と、を有し、
さらに、前記複数種類のヒューズ各々の前記第一端子部は、前記貫通孔の位置を一致させて重ねられたときに、上下に隣接する２つの前記第一端子部どうしが面接触する形状で形成され、
前記複数種類のヒューズ各々における前記溶断部及びこれに連なる前記第二端子部は、前記複数種類のヒューズ各々の前記第一端子部が前記貫通孔の位置を一致させて重ねられた状態において前記第一端子部各々における外縁の異なる位置から、それぞれ重ならずに張り出して形成されており、
前記複数の絶縁カバー各々は、前記複数種類のヒューズ各々における前記溶断部から前記第二端子部に亘る領域を覆うことを特徴とするワイヤハーネス。
【発明の詳細な説明】
【技術分野】
【０００１】
本発明は、車両等で用いられるヒューズセット及びヒューズが接続された電線を備えるワイヤハーネスに関する。
【背景技術】
【０００２】
自動車に代表される車両で用いられるヒューズは、バッテリからモータなどの負荷へ至る電流経路の途中に設けられる。例えば、ヒューズが、起立した棒状端子であるバッテリの正極端子と、モータなどの負荷と電気的に接続された電線との間に接続される場合がある。棒状端子は、ネジ溝が形成された棒状の端子である。
【０００３】
起立した棒状端子と電線との間に接続されるヒューズは、棒状端子が貫通する貫通孔が形成された導体である一次側端子部と、電線の端部に接続される導体である二次側端子部と、両端が一次側端子部及び二次側端子部に繋がった導体である溶断部とを備える。なお、一次側端子部は、貫通孔に貫通した棒状端子に締め付けられたナットによって棒状端子に固定される。
【０００４】
また、ヒューズにおける、電線と接続された二次側端子部及び溶断部は、通常、絶縁材料からなる保護カバーによって覆われる。
【０００５】
また、車両においては、複数のヒューズが、バッテリなどの電源における１つの正極端子と、負荷の系統ごとに設けられた複数の電線各々との間に接続される場合がある。この場合、通常、１つの正極端子と複数のヒューズ各々の一次側端子部とを中継するバスバーが設けられる。この場合、複数のヒューズが、一連のバスバーにおける複数の部位に対してボルトによって固定される。
【０００６】
一方、特許文献１には、１つの正極端子と複数の電線との間に接続される多連ヒューズが示されている。特許文献１に示される多連ヒューズは、１つの正極端子（棒状端子）に接続される一次側端子部と、その一次側端子部に対して並列に繋がった複数の溶断部と、それら溶断部各々と繋がった複数の二次側端子部とを備える。
【０００７】
即ち、特許文献１に示される多連ヒューズにおいては、複数の溶断部及び複数の二次側端子部が、１つの一次側端子部と一体に形成されている。特許文献１に示される多連ヒューズが採用されることにより、ヒューズを正極端子（棒状端子）に固定する工数が低減される。
【０００８】
また、特許文献１に示される多連ヒューズにおいては、全ての溶断部及び二次側端子部が、一次側端子部の幅方向において並ぶ状態で、一次側端子部から張り出して形成されている。そのため、ヒューズの接続対象である全ての電線は、平坦に並べて配列される。
【先行技術文献】
【特許文献】
【０００９】
【特許文献１】特開２０００−１８２５０６号公報
【発明の概要】
【発明が解決しようとする課題】
【００１０】
しかしながら、複数のヒューズが、一連のバスバーにおける複数の部位に固定される場合、ヒューズの固定に要する工数が、ヒューズの数に比例して増大するという問題が生じる。
【００１１】
一方、特許文献１に示される多連ヒューズは、予め定められた数の溶断部及び二次側端子部を備えるため、接続対象となる電線の数ごとに異なる種類の多連ヒューズが必要となる。即ち、特許文献１に示される多連ヒューズは、部品の種類を少なくしつつ、接続対象となる電線の数の違いに適応することができないという問題点を有している。
【００１２】
さらに、ヒューズが配置される場所の面積が小さい場合、ヒューズの接続対象である全ての電線を平坦に並べて配列することができず、特許文献１に示される多連ヒューズを採用することはできない。
【００１３】
本発明は、バッテリの正極端子などの１本の棒状端子と複数の電線各々との間にヒューズを接続することが必要である場合に、ヒューズの固定に要する工数を低減できるとともに、部品の種類を少なくしつつ電線の数の違いに適応することができ、さらに、ヒューズの設置面積を小さくできることを目的とする。
【課題を解決するための手段】
【００１４】
第１発明に係るヒューズセットは、複数種類のヒューズからなり、複数種類のヒューズ各々は、第一端子部と第二端子部と溶断部とを有する。第一端子部は、起立した棒状端子が貫通する貫通孔が形成され、前記棒状端子に固定される板状の導体である。第二端子部は、電線と接続される導体である。溶断部は、前記第一端子部の外縁の一部から張り出した導体であり、両端が前記第一端子部及び第二端子部の各々に繋がった部分である。第１発明に係るヒューズセットにおいて、前記複数種類のヒューズ各々の前記第一端子部は、基部と回転規制部とを有する。前記基部は、前記貫通孔が形成された板状の部分である。前記回転規制部は、前記基部の外縁から下方へ張り出して形成され、前記複数種類のヒューズ各々における前記第一端子部が前記貫通孔の位置を一致させて重ねられたときに、上下に隣接する２つの前記第一端子部どうしが前記貫通孔を中心に相対的に回転することを制限する部分である。さらに、第１発明に係るヒューズセットにおいて、前記複数種類のヒューズ各々の前記第一端子部は、前記貫通孔の位置を一致させて重ねられたときに、上下に隣接する２つの前記第一端子部どうしが面接触する形状で形成されている。また、第１発明に係るヒューズセットにおいて、前記複数種類のヒューズ各々における前記溶断部及びこれに連なる前記第二端子部は、前記複数種類のヒューズ各々の前記第一端子部が重ねられた状態において前記第一端子部各々における同じ方向の外縁の異なる位置から、それぞれ重ならずに張り出して形成されている。
【００１５】
また、第２発明に係るヒューズセットは、第１発明に係るヒューズセットの一例である。第２発明に係るヒューズセットにおいて、前記基部は、周囲の方向のうち前記溶断部が張り出した方向以外の方向において複数の直線状の外縁が形成された平板状の部分である。さらに、前記回転規制部は、前記基部における前記複数の直線状の外縁各々に連なり、前記複数の直線状の外縁各々から斜め下方外側へ張り出した平板状の複数の傾斜壁部である。さらに、第２発明に係るヒューズセットにおいて、前記複数種類のヒューズ各々の前記第一端子部は、それぞれ同一の形状で形成されているとともに、重ねられたときに上下に隣接する２つの前記第一端子部における少なくとも複数の前記傾斜壁部どうしが面接触する形状で形成されている。
【００１６】
また、本発明は、第１発明又は第２発明に係るヒューズセットを備えたワイヤハーネスの発明として捉えられてもよい。即ち、本発明に係るワイヤハーネスは、複数の電線と、前記複数の電線各々と接続された複数種類のヒューズと、前記複数種類のヒューズ各々における前記複数の電線各々との接続部分を覆う絶縁体からなる複数の絶縁カバーと、を備える。ここで、複数の電線各々と接続された複数種類のヒューズは、第１発明又は第２発明に係るヒューズセットである。また、前記複数の絶縁カバー各々は、前記複数種類のヒューズ各々における前記溶断部から前記第二端子部に亘る領域を覆う。
【発明の効果】
【００１７】
第１発明に係るヒューズセットにおいて、複数種類のヒューズ各々の第一端子部は、基部の貫通孔の位置を一致させて重ねられた状態で、起立した棒状端子に対して一括して固定される。即ち、複数種類のヒューズにおける複数の第一端子部全体が、１つのナットを締めつける作業によって１本の棒状端子に固定される。
【００１８】
従って、第１発明によれば、バッテリの正極端子などの１本の棒状端子と複数の電線各々との間にヒューズを接続することが必要である場合に、ヒューズの固定に要する工数を低減することができる。
【００１９】
ところで、同じ形状の複数のヒューズが、第一端子部の貫通孔の位置が一致する状態で重ねられた場合、複数の第二端子部各々に接続された複数の電線、及び各溶断部と各第二端子部とを電気的に絶縁する絶縁カバーが、上下方向において相互に干渉する。そうすると、多くのヒューズが重ねられた場合、上側に重ねられた第一端子部が斜めに傾き、複数の第一端子部相互間で接触不良が生じる。
【００２０】
一方、第１発明に係るヒューズセットにおいては、複数種類のヒューズ各々の溶断部及びこれに連なる第二端子部は、第一端子部各々における外縁の異なる位置から、それぞれ重ならずに張り出して形成されている。そのため、複数の第二端子部各々に接続された複数の電線、及び各溶断部と各第二端子部とを電気的に絶縁する絶縁カバーは、上下方向において相互に干渉しない。
【００２１】
また、２セット以上のヒューズセットが重ねられた場合、同種の２つのヒューズの間に１つ以上の他の異種のヒューズが挟み込まれる。ここで、挟み込まれた１つ以上の異種のヒューズは、同種の２つのヒューズにおける上下方向の間隔を広げるスペーサとして機能する。そのため、２セット以上のヒューズセットが重ねられた場合にも、上下方向における電線などの相互干渉は回避される。
【００２２】
従って、第１発明によれば、多くのヒューズが重ねられた場合でも、複数の第一端子部相互間で接触不良が生じることは回避される。
【００２３】
また、第１発明によれば、部品の種類を少なくしつつ電線の数の違いに適応することができる。即ち、第１発明によれば、２種類もしくは３種類程度のヒューズが用意されるだけで、電線の数と同じ数のヒューズが重ねられることにより、電線の数の違いに適応することができる。
【００２４】
また、第１発明によれば、２セット以上のヒューズセットが重ねられた場合、２セット目以降のヒューズにおける溶断部及び第二端子部から電線に至る部分は、順次上方へ積み重なる。そのため、１セットのヒューズセットが重ねられた場合と、２セット以上のヒューズセットが重ねられた場合とで、ヒューズの設置面積は同じである。従って、第１発明によれば、ヒューズの接続対象である電線の数が多い場合であっても、ヒューズの設置面積を小さくできる。
【００２５】
また、重ねられた複数の第一端子部が、起立した棒状端子に対してナットで固定される場合、重ねられた第一端子部が、ナットに対して連れ周りしやすい。第一端子部がナットに対して連れ周りすると、ヒューズの固定の作業性が悪化するとともに、溶断部及び第二端子部が誤った方向に向く状態でヒューズが固定されてしまう。
【００２６】
一方、第１発明によれば、第一端子部が回転規制部を備えているため、第一端子部がナットに対して連れ周りする不都合は回避される。
【００２７】
また、第２発明に係るヒューズセットにおいて、第一端子部は、１つの平板状の基部と基部における直線状の外縁に連なる複数の平板状の傾斜壁部とにより構成され、傾斜壁部が、回転規制部として機能する。このような形状の第一端子部は、構造が簡素であり、平坦な金属板の折り曲げ加工もしくは据え込み加工などの簡易な板金加工によって成形可能である。
【図面の簡単な説明】
【００２８】
【図１】本発明の第１実施形態に係るヒューズセット１の斜視図である。
【図２】ヒューズセット１の平面図である。
【図３】本発明の第１実施形態に係るワイヤハーネス２の３面図である。
【図４】ワイヤハーネス２が備えるヒューズ付電線の側面図である。
【図５】ワイヤハーネス２が備える絶縁カバーの斜視図である。
【図６】本発明の第２実施形態に係るワイヤハーネス２Ｘの正面図である。
【図７】本発明の第３実施形態に係るヒューズセット１Ｙの平面図及び正面図である。
【図８】本発明の第３実施形態に係るワイヤハーネス２Ｙの正面図である。
【発明を実施するための形態】
【００２９】
以下、添付の図面を参照しながら、本発明の実施形態について説明する。以下の実施形態は、本発明を具体化した一例であり、本発明の技術的範囲を限定する事例ではない。
【００３０】
＜第１実施形態＞
まず、図１から図５を参照しつつ、本発明の第１実施形態に係るヒューズセット１及びそれを備えた本発明の第１実施形態に係るワイヤハーネス２の構成について説明する。
【００３１】
図１に示されるように、ヒューズセット１は、２種類のヒューズからなり、第一ヒューズ１Ａと第二ヒューズ１Ｂとを含む。なお、図１及び図２には、１つの第一ヒューズ１Ａ及び１つの第二ヒューズ１Ｂからなる１セットのヒューズセット１が示されている。また、図３には、２セットのヒューズセット１を含むワイヤハーネス２が示されている。
【００３２】
図３（ａ）は、ワイヤハーネス２の平面図、図３（ｂ）はワイヤハーネス２の正面図、図３（ｃ）はワイヤハーネス２の側面図である。
【００３３】
＜ヒューズセット＞
ヒューズセット１を構成する第一ヒューズ１Ａ及び第二ヒューズ１Ｂは、それぞれ一次側端子部１０、二次側端子部２０及び溶断部３０を備えている。第一ヒューズ１Ａ及び第二ヒューズ１Ｂ各々において、一次側端子部１０、二次側端子部２０及び溶断部３０は、一連に連なった板状の導体からなり、例えば、銅などの金属の板材に錫メッキが施された導体からなる。
【００３４】
ヒューズセット１において、第一ヒューズ１Ａ及び第二ヒューズ１Ｂ各々における一次側端子部１０、二次側端子部２０及び溶断部３０個々の構造は同じである。特に、第一ヒューズ１Ａ及び第二ヒューズ１Ｂ各々における一次側端子部１０は同一の形状で形成されている。しかしながら、第一ヒューズ１Ａと第二ヒューズ１Ｂとの間で、一次側端子部１０に対する二次側端子部２０及び溶断部３０の位置が異なる。その詳細については後述する。
【００３５】
図３に示されるように、一次側端子部１０は、バッテリの正極端子などの起立した棒状端子６に対してナット５により固定される板状の導体である。一次側端子部１０には、起立した棒状端子６が通される貫通孔１１ｈが形成されている。なお、棒状端子６は、ネジ溝が形成された棒状の端子である。一次側端子部１０は、ナット５で棒状端子６に固定されることにより、棒状端子６と電気的に接続される。なお、図３において、棒状端子６及びナット５は、仮想線（二点鎖線）により描かれている。
【００３６】
＜一次側端子部＞
第一ヒューズ１Ａ及び第二ヒューズ１Ｂ各々において、一次側端子部１０は、棒状端子６が通される貫通孔１１ｈが形成された平板状の基部１１と、基部１１の外縁に連なる複数の傾斜壁部１２とを有する。
【００３７】
本実施形態においては、基部１１は、輪郭が矩形の平板状に形成されているため、基部１１の周囲の四方各々において４つの直線状の外縁が形成されている。以下の説明において、基部１１の外縁における、溶断部３０及び二次側端子部２０が張り出した方向において形成された部分のことを第一外縁１１１、それ以外の方向において形成された部分のことを第二外縁１１２と称する。矩形状の基部１１には、３つの直線状の第二外縁１１２が形成されている。
【００３８】
各図に示される座標軸において、Ｙ軸方向は、一次側端子部１０から溶断部３０及び二次側端子部２０が張り出した方向を示し、Ｘ軸方向は、Ｙ軸方向に直交し、基部１１の表裏各面に沿う方向である。また、Ｚ軸方向は、Ｘ軸方向及びＹ軸方向に直交する方向であり、基部１１の厚み方向である。
【００３９】
一方、傾斜壁部１２は、基部１１における複数の直線状の第二外縁１１２各々から斜め下方外側へ張り出した平板状の部分である。基部１１の下面側において、基部１１と複数の傾斜壁部１２各々とがなす角度θは鈍角である。平板状の傾斜壁部１２における下面及び上面は平行であるので、傾斜壁部１２の下面及び上面は、いずれも基部１１が沿う平面に対して（１８０°−θ°）の角度で斜め下方へ傾斜している。本実施形態においては、２つの傾斜壁部１２が、第一外縁１１１の両側に位置する２つの直線状の第二外縁１１２各々に連なって形成されている。
【００４０】
なお、傾斜壁部１２が、基部１１の外縁における、第一外縁１１１以外の全ての直線状の第二外縁１１２各々に連なって形成されていてもよい。
【００４１】
ヒューズセット１を構成する第一ヒューズ１Ａ及び第二ヒューズ１Ｂは、それぞれの一次側端子部１０が貫通孔１１ｈの位置を一致させて予め定められた向きで重ねられた状態で棒状端子６に固定される。第一ヒューズ１Ａ及び第二ヒューズ１Ｂが、それぞれの一次側端子部１０が貫通孔１１ｈの位置を一致さて重ねられることにより、第一ヒューズ１Ａ及び第二ヒューズ１Ｂ各々における一次側端子部１０の貫通孔１１ｈが連通する。
【００４２】
なお、予め定められた向きとは、第一ヒューズ１Ａ及び第二ヒューズ１Ｂ各々の第一外縁１１１が同じ方向を向くときの一次側端子部１０の向きである。以下の説明において、第一ヒューズ１Ａ及び第二ヒューズ１Ｂが、それぞれの一次側端子部１０が貫通孔１１ｈの位置を一致させて予め定められた向きで重ねられた状態のことを積み重ね状態と称する。
【００４３】
図３（ｂ）に示されるように、積み重ね状態において、上下に隣接する２つの第一ヒューズ１Ａ及び第二ヒューズ１Ｂどうしは面接触する。本実施形態においては、第一ヒューズ１Ａ及び第二ヒューズ１Ｂのいずれにおいても、基部１１及び傾斜壁部１２の部分における下面と上面とが同じ形状で形成されている。そのため、積み重ね状態において、上下に隣接する２つの第一ヒューズ１Ａ及び第二ヒューズ１Ｂにおける基部１１どうしが面接触するとともに、傾斜壁部１２どうしも面接触する。これにより、上下に隣接する２つの第一ヒューズ１Ａ及び第二ヒューズ１Ｂにおける一次側端子部１０どうしが確実に短絡する。
【００４４】
また、積み重ね状態において、傾斜壁部１２は、上下に隣接する２つの一次側端子部１０どうしが貫通孔１１ｈを中心に相対的に回転することを制限する部分である。即ち、傾斜壁部１２は、上下に隣接する２つの一次側端子部１０どうしを導通させる短絡部であるとともに、上側の一次側端子部１０と下側の一次側端子部１０とが連れ周りすることを防止する回転規制部でもある。
【００４５】
＜二次側端子部＞
一方、二次側端子部２０は、電線９と接続される導体であり、溶断部３０の一方の端部と繋がっている。本実施形態においては、二次側端子部２０は、ネジ孔２１が形成された平板状の端子であり、電線９の端部に設けられた圧着端子がネジ７によって固定される部分である。
【００４６】
＜溶断部＞
溶断部３０は、一次側端子部１０の外縁の一部から張り出し、両端が一次側端子部１０及び二次側端子部２０に繋がった導体である。溶断部３０は、一次側端子部１０及び二次側端子部２０の各々よりも細く形成されており、溶断部３０の電気抵抗は、一次側端子部１０及び二次側端子部２０の各々の電気抵抗よりも高い。そして、予め定められた許容電流を超える電流が、一次側端子部１０から溶断部３０を経て二次側端子部２０へ流れると、溶断部３０が発熱して溶融し、一次側端子部１０から二次側端子部２０及びそれに接続された負荷への電流の供給が遮断される。
【００４７】
図１、図２及び図３（ａ）に示されるように、第一ヒューズ１Ａ及び第二ヒューズ１Ｂの各々における溶断部３０及びこれに連なる二次側端子部２０は、積み重ね状態において、一次側端子部１０各々における同じ方向（Ｙ軸正方向）の外縁の異なる位置から、それぞれ重ならずに張り出して形成されている。
【００４８】
本実施形態においては、第一ヒューズ１Ａの溶断部３０は、基部１１の第一外縁１１１における一方の端寄りに偏った第１の部位１１１ａから外側へ張り出して形成されており、第二ヒューズ１Ｂの溶断部３０は、基部１１の第一外縁１１１における他方の端寄りに偏った第２の部位１１１ｂから外側へ張り出して形成されている。そして、基部１１の第一外縁１１１の方向（Ｙ軸正方向）の空間において、第一ヒューズ１Ａの溶断部３０及び二次側端子部２０が存在する第１領域Ａｒ１と、第二ヒューズ１Ｂの溶断部３０及び二次側端子部２０が存在する第２領域Ａｒ２とは、全く重ならない。
【００４９】
＜ワイヤハーネス＞
続いて、図３から図５を参照しつつ、ヒューズセット１を含むワイヤハーネス２について説明する。なお、図４は、ワイヤハーネス２が備えるヒューズ付電線の側面図であり、図５は、ワイヤハーネス２が備える絶縁カバー８の斜視図である。
【００５０】
図３に示されるように、ワイヤハーネス２は、複数の電線９と、１セットもしくは複数セットのヒューズセット１と、複数の絶縁カバー８とを備えている。ヒューズセット１を構成する第一ヒューズ１Ａ及び第二ヒューズ１Ｂは、二次側端子部２０の部分において、複数の電線９各々の端部とネジ７によって接続されている。なお、便宜上、図３において、絶縁カバー８は、仮想線（二点鎖線）により描かれている。
【００５１】
複数の絶縁カバー８各々は、ヒューズセット１を構成する各ヒューズにおける、複数の電線９各々との接続部分を覆う絶縁体からなる部材である。より具体的には、複数の絶縁カバー８各々は、第一ヒューズ１Ａ及び第二ヒューズ１Ｂの各々における少なくとも溶断部３０から二次側端子部２０に亘る領域を覆う。
【００５２】
絶縁カバー８は、例えば、樹脂の成形部材である。図３に示される例では、ワイヤハーネス２は、４本の電線９と、２セットのヒューズセット１と、４つの絶縁カバー８とを備えている。
【００５３】
絶縁カバー８は、例えば図５に示されるように、二次側端子部２０、溶断部３０及び電線９の端部を収容する箱部８１と、箱部８１の開口を塞ぐ蓋部８２とを有する。箱部８１の側壁には、第一欠け部８１１及び第二欠け部８１２が形成されている。第一欠け部８１１は、第一ヒューズ１Ａ又は第二ヒューズ１Ｂの一部が箱部８１の内側と外側とに亘って配置される空間を形成する部分である。また、第二欠け部８１２は、電線９の端部が箱部８１の内側と外側とに亘って配置される空間を形成する部分である。箱部８１と蓋部８２とは、柔軟性を有する連結部８３を介して繋がっている。
【００５４】
また、箱部８１及び蓋部８２には、蓋部８２が箱部８１の開口を塞ぐ状態で、蓋部８２を箱部８１に固定するロック機構８４，８５が設けられている。図５に示されるロック機構８４，８５は、蓋部８２の外縁から箱部８１側へ突出して形成された爪部８４と、箱部８１の外縁に形成された枠部８５とにより構成されている。爪部８４が枠部８５の中空部に挿入されることにより、爪部８４の一部が枠部８５に引っ掛かり、蓋部８２が箱部８１に固定される。
【００５５】
図４に示されるように、絶縁カバー８が、第一ヒューズ１Ａ又は第二ヒューズ１Ｂにおける電線９との接続部分に取り付けられると、その接続部分の厚みは、絶縁カバー８が取り付けられる前よりも大きくなる。
【００５６】
なお、絶縁カバー８は、ヒューズセット１を構成する各ヒューズにおける、複数の電線９各々との接続部分を覆う絶縁体からなる筒状の部材などであってもよい。
【００５７】
＜効果＞
図３に示されるように、ヒューズセット１を構成する複数種類のヒューズ１Ａ，１Ｂ各々の一次側端子部１０は、基部１１の貫通孔１１ｈの位置を一致させて重ねられた状態で、起立した棒状端子６に対して一括して固定される。即ち、複数種類のヒューズ１Ａ，１Ｂにおける複数の一次側端子部１０全体が、１つのナット５を締めつける作業によって１本の棒状端子６に固定される。
【００５８】
従って、ヒューズセット１が採用されれば、バッテリの正極端子などの１本の棒状端子６と複数の電線９各々との間にヒューズを接続することが必要である場合に、ヒューズの固定に要する工数を低減することができる。
【００５９】
ところで、同じ形状の複数のヒューズが、一次側端子部の貫通孔の位置が一致する状態で重ねられた場合、複数の二次側端子部各々に接続された複数の電線９及び絶縁カバー８が、上下方向において相互に干渉する。そうすると、多くのヒューズが重ねられた場合、上側に重ねられた一次側端子部が斜めに傾き、複数の一次側端子部相互間で接触不良が生じる。
【００６０】
一方、ヒューズセット１が採用された場合、複数種類のヒューズ１Ａ，１Ｂ各々の溶断部３０及びこれに連なる二次側端子部２０は、一次側端子部１０各々の基部１１における第一外縁１１１の異なる位置から、それぞれ重ならずに張り出して形成されている。そのため、複数の二次側端子部２０各々に接続された複数の電線９及び絶縁カバー８は、上下方向において相互に干渉しない。
【００６１】
また、２セット以上のヒューズセット１が重ねられた場合、同種の２つの第一ヒューズ１Ａの間に１つ以上の異種の第二ヒューズ１Ｂが挟み込まれる。ここで、挟み込まれた１つ以上の第二ヒューズ１Ｂは、同種の２つの第一ヒューズ１Ａにおける上下方向の間隔を広げるスペーサとして機能する。そのため、２セット以上のヒューズセット１が重ねられた場合にも、上下方向における電線９及び絶縁カバー８の相互干渉は回避される。
【００６２】
従って、ヒューズセット１がワイヤハーネス２に採用されることにより、多くのヒューズが重ねられた場合でも、複数の一次側端子部１０相互間で接触不良が生じることは回避される。
【００６３】
また、ヒューズセット１が採用されることにより、部品の種類を少なくしつつ電線９の数の違いに適応することができる。即ち、２種類のヒューズからなるヒューズセット１が用意されるだけで、電線９の数と同じ数のヒューズが重ねられることにより、電線９の数の違いに適応することができる。
【００６４】
また、２セット以上のヒューズセット１が重ねられた場合、２セット目以降のヒューズにおける溶断部３０及び二次側端子部２０から電線９に至る部分は、順次上方へ積み重なる。そのため、図３（ａ）に示されるように、１セットのヒューズセット１が重ねられた場合と、２セット以上のヒューズセット１が重ねられた場合とで、ヒューズの設置面積は同じである。従って、ヒューズセット１が採用されることにより、ヒューズの接続対象である電線９の数が多い場合であっても、ヒューズの設置面積を小さくできる。
【００６５】
また、重ねられた複数の一次側端子部１０が、起立した棒状端子６に対してナット５で固定される場合、重ねられた一次側端子部１０が、ナット５に対して連れ周りしやすい。一次側端子部１０がナット５に対して連れ周りすると、ヒューズの固定の作業性が悪化するとともに、溶断部３０及び二次側端子部２０が誤った方向に向く状態でヒューズが固定されてしまう。
【００６６】
一方、ヒューズセット１においては、一次側端子部１０が回転規制部として機能する傾斜壁部１２を備えているため、一次側端子部１０がナット５に対して連れ周りする不都合は回避される。
【００６７】
ヒューズセット１において、一次側端子部１０は、１つの平板状の基部１１と基部１１における直線状の第二外縁１１２に連なる複数の平板状の傾斜壁部１２とにより構成され、傾斜壁部１２が、回転規制部として機能する。このような形状の一次側端子部１０は、構造が簡素であり、平坦な金属板の折り曲げ加工もしくは据え込み加工などの簡易な板金加工によって成形可能である。
【００６８】
＜第２実施形態＞
次に、図６を参照しつつ、本発明の第２実施形態に係るワイヤハーネス２Ｘについて説明する。図６は、ワイヤハーネス２Ｘの正面図である。
【００６９】
ワイヤハーネス２Ｘは、本発明の第２実勢形態に係るヒューズセット１Ｘを備える。ヒューズセット１Ｘは、図１から図３に示されたヒューズセット１と比較して、一次側端子部の形状のみが若干異なる構成を有している。また、ワイヤハーネス２Ｘは、ワイヤハーネス２におけるヒューズセット１がヒューズセット１Ｘに置き換えられた構成を有している。
【００７０】
図６において、図１から図３に示される構成要素と同じ構成要素は、同じ参照符号が付されている。以下、ヒューズセット１Ｘにおけるヒューズセット１と異なる点についてのみ説明する。
【００７１】
ヒューズセット１Ｘは、２種類の第一ヒューズ１Ｃ及び第二ヒューズ１Ｄからなる。第一ヒューズ１Ｃ及び第二ヒューズ１Ｄは、第一ヒューズ１Ａ及び第二ヒューズ１Ｂと比較して、一次側端子部１０の基部１１における上面の形状と下面の形状との関係が異なる。
【００７２】
より具体的には、図６に示されるように、ヒューズセット１Ｘにおいても、積み重ね状態において、上下に隣接する２つの第一ヒューズ１Ｃ及び第二ヒューズ１Ｄ各々の一次側端子部１０どうしは面接触する。しかしながら、本実施形態においては、第一ヒューズ１Ｃ及び第二ヒューズ１Ｄにおける、基部１１及び傾斜壁部１２の部分における下面と上面とは同じ形状ではない。そのため、積み重ね状態において、上下に隣接する２つの第一ヒューズ１Ｃ及び第二ヒューズ１Ｄにおける傾斜壁部１２どうしは面接触するが、基部１１どうしは接触しない。
【００７３】
即ち、ヒューズセット１Ｘにおいては、上下に隣接する２つの第一ヒューズ１Ｃ及び第二ヒューズ１Ｄにおける一次側端子部１０どうしが、傾斜壁部１２の部分のみを通じて短絡する。傾斜壁部１２の部分において十分な接触面積が確保される場合、ヒューズセット１Ｘが採用された場合でも、ヒューズセット１が採用された場合と同様の作用及び効果が得られる。
【００７４】
＜第３実施形態＞
次に、図７及び図８を参照しつつ、本発明の第３実施形態に係るヒューズセット１Ｙ及び本発明の第３実施形態に係るワイヤハーネス２Ｙについて説明する。図７（ａ）はヒューズセット１Ｙの平面図であり、図７（ｂ）は、ヒューズセット１Ｙの正面図である。また、図８は、ワイヤハーネス２Ｙの正面図である。
【００７５】
ワイヤハーネス２Ｙは、ヒューズセット１Ｙを備える。ヒューズセット１Ｘは、図１から図３に示されたヒューズセット１と比較して、一次側端子部の形状のみが異なる構成を有している。また、ワイヤハーネス２Ｙは、ワイヤハーネス２におけるヒューズセット１がヒューズセット１Ｙに置き換えられた構成を有している。
【００７６】
図７及び図８において、図１から図３に示される構成要素と同じ構成要素は、同じ参照符号が付されている。以下、ヒューズセット１Ｙにおけるヒューズセット１と異なる点についてのみ説明する。
【００７７】
ヒューズセット１Ｙは、２種類の第一ヒューズ１Ｅ及び第二ヒューズ１Ｆからなる。第一ヒューズ１Ｅ及び第二ヒューズ１Ｆは、第一ヒューズ１Ａ及び第二ヒューズ１Ｂと比較して、一次側端子部１０の傾斜壁部１２が、突起部１２Ａ，１２Ｂに置き換えられた構成を有する。
【００７８】
より具体的には、図７に示されるように、第一ヒューズ１Ｅの一次側端子部１０は、貫通孔１１ｈが形成された平板状の基部１１と、その基部１１における複数の第二外縁１１２各々から下方へ張り出した複数の第一突起部１２Ａとを有する。同様に、第二ヒューズ１Ｆの一次側端子部１０は、貫通孔１１ｈが形成された平板状の基部１１と、その基部１１における複数の第二外縁１１２各々から下方へ張り出した複数の第二突起部１２Ｂとを有する。
【００７９】
第一突起部１２Ａ及び第二突起部１２Ｂは、いずれも基部１１の厚みよりも短い長さで基部１１の外縁から下方へ突出して形成されている。
【００８０】
また、第一ヒューズ１Ｅの基部１１の外縁における複数の第一突起部１２Ａ各々の位置と、第二ヒューズ１Ｆの基部１１の外縁における複数の第二突起部１２Ｂ各々の位置とは異なる。従って、第一ヒューズ１Ｅ及び第二ヒューズ１Ｆが重ねられた積み重ね状態において、第一ヒューズ１Ｅの第一突起部１２Ａと、第二ヒューズ１Ｆの第二突起部１２Ｂとは相互に干渉しない。
【００８１】
そして、図８に示されるように、第一ヒューズ１Ｅ及び第二ヒューズ１Ｆが重ねられた積み重ね状態において、第一ヒューズ１Ｅの基部１１と第二ヒューズ１Ｆの基部１１とは面接触する。即ち、ヒューズセット１Ｙにおいて、基部１１は、上下に隣接する２つの一次側端子部１０どうしを導通させる短絡部の一例である。
【００８２】
また、第一ヒューズ１Ｅ及び第二ヒューズ１Ｆが重ねられた積み重ね状態において、第一突起部１２Ａ及び第二突起部１２Ｂは、上下に隣接する２つの一次側端子部１０どうしが貫通孔１１ｈを中心に相対的に回転することを制限する。
【００８３】
即ち、複数の突起部１２Ａ，１２Ｂは、積み重ね状態において、上側の一次側端子部１０と下側の一次側端子部１０とが連れ周りすることを防止する回転規制部の一例である。ヒューズセット１Ｙが採用された場合でも、ヒューズセット１，１Ｘが採用された場合と同様の作用及び効果が得られる。
【００８４】
＜その他＞
ヒューズセット１，１Ｘ，１Ｙにおいて、一次側端子部１０の基部１１は、矩形以外の輪郭を有する平板状であること、或いは曲がった板状であることなども考えられる。例えば、一次側端子部１０の基部１１が、８角形状などの多角形状であることも考えられる。また、一次側端子部１０の基部１１が、溶断部３０が張り出す方向において斜め下方に曲がった板状であってもよい。
【００８５】
また、ヒューズセット１，１Ｘ，１Ｙの基部１１において、溶断部３０が張り出す方向に位置する第一外縁１１１は、曲線状の外縁であってもよい。
【００８６】
また、ヒューズセット１，１Ｘ，１Ｙが、３種類以上のヒューズからなることも考えられる。例えば、ヒューズセット１，１Ｘ，１Ｙが３種類のヒューズからなることが考えられる。この場合、１つ目のヒューズにおける溶断部３０及び二次側端子部２０は、基部１１の第一外縁１１１における一方の端に偏った位置から張り出して形成され、２つ目のヒューズにおける溶断部３０及び二次側端子部２０は、基部１１の第一外縁１１１における他方の端に偏った位置から張り出して形成され、３つ目のヒューズにおける溶断部３０及び二次側端子部２０は、基部１１の第一外縁１１１における中央の位置から張り出して形成される。
【符号の説明】
【００８７】
１，１Ｘ，１Ｙ  ヒューズセット
１Ａ，１Ｃ，１Ｅ  第一ヒューズ
１Ｂ，１Ｄ，１Ｆ  第二ヒューズ
２，２Ｘ，２Ｙ  ワイヤハーネス
５  ナット
６  棒状端子
７  ネジ
８  絶縁カバー
９  電線
１０  一次側端子部
１１  基部
１１ｈ  貫通孔
１２  傾斜壁部
１２Ａ  第一突起部
１２Ｂ  第二突起部
２０  二次側端子部
２１  ネジ孔
３０  溶断部
８１  箱部
８２  蓋部
８３  連結部
８４  爪部（ロック機構）
８５  枠部（ロック機構）
１１１  第一外縁
１１２  第二外縁
８１１  第一欠け部
８２２  第二欠け部
Ａｒ１  第１領域
Ａｒ２  第２領域
【図１】
2013084493.tif 000003
【図２】
2013084493.tif 000004
【図３】
2013084493.tif 000005
【図４】
2013084493.tif 000006
【図５】
2013084493.tif 000007
【図６】
2013084493.tif 000008
【図７】
2013084493.tif 000009
【図８】
2013084493.tif 000010